(57)【要約】【課題】主装置が既知信号を送信している状態での省電力モードへの移行を回避する端末装置を提供する。【解決手段】主装置２００に信号線を介して接続されるＵＳＢ端末装置１００は、主装置２００からＵＳＢバスライン１０２，１０４を介して所定期間未満の間隔で出力される既知信号を検出するＵＳＢコントローラ１０６と、ＵＳＢコントローラ１０６により既知信号が最後に検出されてから所定期間が経過する場合、省電力モードへの移行準備を開始する移行準備開始部１４２と、省電力モードへの移行準備が開始されてから省電力モードへの移行が開始されるまでの間にＵＳＢコントローラ１０６により既知信号が検出される場合、省電力モードへの移行を取り消す割り込み処理部１２８と、を含む。【選択図】図２
2010165130.tif 000002
【特許請求の範囲】
【請求項１】
主装置に信号線を介して接続される端末装置であって、
前記主装置から前記信号線を介して所定期間未満の間隔で出力される既知信号を検出する検出手段と、
前記検出手段により前記既知信号が最後に検出されてから前記所定期間が経過する場合、省電力モードへの移行準備を開始する移行準備開始手段と、
前記省電力モードへの移行準備が開始されてから省電力モードへの移行が開始されるまでの間に前記検出手段により前記既知信号が検出される場合、前記省電力モードへの移行を取り消す移行取り消し手段と、
を含むことを特徴とする端末装置。
【請求項２】
請求項１に記載の端末装置において、
前記検出手段により前記既知信号が最後に検出されてから前記所定期間が経過する時点で、時間の計測を開始する時間計測手段と、
前記時間計測手段により計測される前記時間が移行待機期間以上になる場合、前記省電力モードへの移行を開始する移行開始手段と、
をさらに含み、
前記移行取り消し手段は、前記時間計測手段により計測される前記時間が前記移行待機期間以上になるまでの間に前記検出手段により前記既知信号が検出される場合、前記時間計測手段により行われる前記時間の計測を停止する、
ことを特徴とする端末装置。
【請求項３】
請求項１または２に記載の端末装置において、
当該端末装置は無線通信端末装置である、
ことを特徴とする端末装置。
【請求項４】
主装置に信号線を介して接続される端末装置の制御方法であって、
前記主装置から前記信号線を介して所定期間未満の間隔で出力される既知信号を検出する検出ステップと、
前記検出ステップで前記既知信号が最後に検出されてから前記所定期間経過する場合に、省電力モードへの移行準備を開始する移行準備開始ステップと、
前記省電力モードへの移行準備が開始されてから、省電力モードへの移行が開始されるまでの間に前記検出ステップで前記既知信号が検出される場合、前記省電力モードへの移行を取り消す移行取り消しステップと、
を含むことを特徴とする制御方法。
【請求項５】
主装置に信号線を介して接続されるコンピュータを、
前記主装置から前記信号線を介して所定期間未満の間隔で出力される既知信号を検出する検出手段、
前記検出手段により前記既知信号が最後に検出されてから前記所定期間経過する場合、省電力モードへの移行準備を開始する移行準備開始手段、及び
前記省電力モードへの移行準備が開始されてから、省電力モードへの移行が開始されるまでの間に前記検出手段により前記既知信号が検出される場合、前記省電力モードへの移行を取り消す移行取り消し手段、
として機能させることを特徴とするプログラム。
【発明の詳細な説明】
【技術分野】
【０００１】
本発明は、端末装置、その制御方法およびプログラムに関する。
【背景技術】
【０００２】
主装置と端末装置との接続仕様を規定するインターフェース規格には、端末装置が通常モードから省電力モードへ移行する動作を規定するものがある。これらの規格では、端末装置は、主装置から既知信号を受信する間は通常モードで動作し、既知信号を所定期間受信しないと省電力モードへ移行すると規定されている。
【０００３】
例えば非特許文献１に記載されているＵＳＢ規格では、端末装置は、主装置から既知信号であるＳＯＦ（Ｓｔａｒｔ  ｏｆ  Ｆｒａｍｅ）信号を受信する間は通常モードで動作し、ＳＯＦ信号が３ｍｓの間検出されない（ｉｄｌｅ状態の検出）と、ｉｄｌｅ状態の検出から１０ｍｓ以内に省電力モードに移行すると規定されている。
【０００４】
ＵＳＢ規格に準拠する端末装置は、ｉｄｌｅ状態の検出によりＳＯＦ信号の検出を停止し、アプリケーションの停止、メモリーのバックアップ等、省電力モードへの移行に必要な移行準備（移行準備処理）を開始する。移行準備が終了すると、端末装置は省電力モードへ移行する。
【０００５】
しかし、主装置が既知信号を送信しているにも関わらず、例えばＥＳＤ（Ｅｌｅｃｔｒｏｓｔａｔｉｃ  Ｄｉｓｃｈａｒｇｅ；静電放電）等の影響で端末装置が既知信号を受信できないことがある。このような場合、主装置が既知信号を送信しているにも関わらず、端末装置は省電力モードへ移行する。
【０００６】
特許文献１には、ＳＯＦ信号が送信されているにも関わらず省電力モードに移行した場合、通常モードへ復帰するＵＳＢ端末装置が開示されている。ＵＳＢ端末装置は、ＳＯＦ信号を検出するスタンバイ検出手段を含み、該スタンバイ検出手段がｉｄｌｅ状態を検出した場合、省電力モードへの移行後、通常モードへの復帰に使用される命令であるリモートウェイクアップが許可されているか確認する。リモートウェイクアップは、省電力モードへの移行の前に主装置により許可される命令である。従って、リモートウェイクアップが許可されていなければ、ＵＳＢ端末装置はこの移行がＳＯＦ信号が送信されているにも関わらず行われた異常な移行であると判断し、主装置との接続を一旦切断して再接続を行って通常モードへ復帰する。
【先行技術文献】
【特許文献】
【０００７】
【特許文献１】特開２００７−４７９０９号公報
【非特許文献】
【０００８】
【非特許文献１】Compaq, Hewlett-Packard, Intel,Lucent, Microsoft, NEC, Philips, ”Universal Serial Bus Specification”、米国、２０００年４月２７日 （ｐ．１５６）
【発明の概要】
【発明が解決しようとする課題】
【０００９】
特許文献１のＵＳＢ端末装置は異常な移行が検出される場合にも一旦省電力モードへ移行してしまうため、通常モードで実行されている処理が停止される、当該処理の停止に伴う通常モードへの復帰のための処理が必要になる、等の問題が生じる。
【００１０】
本発明は上記の課題に鑑みてなされたものであり、主装置が既知信号を送信している状態での省電力モードへの移行を回避する端末装置、端末装置の制御方法、およびプログラムを提供することを目的とする。
【課題を解決するための手段】
【００１１】
本発明に係る端末装置は、主装置に信号線を介して接続される端末装置であって、前記主装置から前記信号線を介して所定期間未満の間隔で出力される既知信号を検出する検出手段と、前記検出手段により前記既知信号が最後に検出されてから前記所定期間が経過する場合、省電力モードへの移行準備を開始する移行準備開始手段と、前記省電力モードへの移行準備が開始されてから省電力モードへの移行が開始されるまでの間に前記検出手段により前記既知信号が検出される場合、前記省電力モードへの移行を取り消す移行取り消し手段と、を含む。
【００１２】
本発明によれば、端末装置は、既知信号が所定期間検出されない場合、省電力モードへの移行が開始されるまでに既知信号が検出されれば省電力モードへの移行を回避する。
【００１３】
また、本発明に係る端末装置は、前記検出手段により前記既知信号が最後に検出されてから前記所定期間が経過する時点で、時間の計測を開始する時間計測手段と、前記時間計測手段により計測される前記時間が移行待機期間以上になる場合、前記省電力モードへの移行を開始する移行開始手段と、をさらに含み、前記移行取り消し手段は、前記時間計測手段により計測される前記時間が前記移行待機期間以上になるまでの間に前記検出手段により前記既知信号が検出される場合、前記時間計測手段により行われる前記時間の計測を停止する。
【００１４】
本発明によれば、端末装置は、時間の計測を停止することで省電力モードへの移行を回避する。
【００１５】
また、本発明に係る端末装置において、当該端末装置は無線通信端末装置である。
【００１６】
また、本発明に係る制御方法は、主装置に信号線を介して接続される端末装置の制御方法であって、前記主装置から前記信号線を介して所定期間未満の間隔で出力される既知信号を検出する検出ステップと、前記検出ステップで前記既知信号が最後に検出されてから前記所定期間経過する場合に、省電力モードへの移行準備を開始する移行準備開始ステップと、前記省電力モードへの移行準備が開始されてから、省電力モードへの移行が開始されるまでの間に前記検出ステップで前記既知信号が検出される場合、前記省電力モードへの移行を取り消す移行取り消しステップと、を含む。
【００１７】
また、本発明に係るプログラムは、主装置に信号線を介して接続されるコンピュータを、前記主装置から前記信号線を介して所定期間未満の間隔で出力される既知信号を検出する検出手段、前記検出手段により前記既知信号が最後に検出されてから前記所定期間経過する場合、省電力モードへの移行準備を開始する移行準備開始手段、及び前記省電力モードへの移行準備が開始されてから、省電力モードへの移行が開始されるまでの間に前記検出手段により前記既知信号が検出される場合、前記省電力モードへの移行を取り消す移行取り消し手段、として機能させる。
【図面の簡単な説明】
【００１８】
【図１】主装置と信号線を介して接続される、本実施の形態に係るＵＳＢ端末装置を示す図である。
【図２】本実施の形態に係るＵＳＢ端末装置の構成を示すブロック図である。
【図３】ＵＳＢ規格に基づく接続において信号線を介して主装置から受信される信号を示す図である。
【図４】本実施の形態に係るＵＳＢ端末装置の動作の概略を示す図である。
【図５】ｉｄｌｅ状態の検出からタイマーにより計測される経過時間が移行待機期間以上になるまでの間ＳＯＦ信号が検出されない場合の、ＵＳＢ端末装置の動作を示すフローチャートである。
【図６】ｉｄｌｅ状態の検出からタイマーによる計測される経過時間が移行待機期間以上になるまでの間にＳＯＦ信号が検出される場合の、ＵＳＢ端末装置の動作を示すフローチャートである。
【発明を実施するための形態】
【００１９】
本実施の形態では、主装置が既知信号を送信している状態での省電力モードへの移行を回避するＵＳＢ端末装置１００を示す。
【００２０】
図１は、主装置（パソコン）２００と信号線を介して接続される、本実施の形態に係るＵＳＢ端末装置１００を示す図である。ＵＳＢ端末装置１００は、信号線であるＵＳＢバスライン（Ｄ＋，Ｄａｔａ＋）１０２およびＵＳＢバスライン（Ｄ−，Ｄａｔａ−）１０４を介して主装置２００と接続されている。
【００２１】
図３は、ＵＳＢ規格に基づく接続において信号線（ＵＳＢバスライン１０２および１０４）を介して主装置２００から受信される信号を示す図である。ＳＯＦ信号はフレームの先頭に付される信号であり、長さ１ｍｓのフレームで通信が行われている場合には、図３に示すようにＳＯＦ信号（既知信号）は１ｍｓ間隔で受信される。ＵＳＢ規格では、端末装置は、主装置から入力されるＳＯＦ信号が３ｍｓ以上検出されない（ｉｄｌｅ状態が検出される）場合、端末装置はｉｄｌｅ状態の検出から１０ｍｓ以内に省電力モード（サスペンドモード、スタンバイモード）に移行すると規定されている。
【００２２】
本実施の形態に係るＵＳＢ端末装置１００の動作の概略を説明する。図４は、本実施の形態に係るＵＳＢ端末装置１００の動作の概略を示す図である。ＵＳＢ端末装置１００は、１ｍｓ間隔（所定期間３ｍｓ未満の間隔）で出力されるＳＯＦ信号を検出する（Ａ）。ＵＳＢ端末装置１００は、（Ａ）においてＳＯＦ信号が検出されてから、ＳＯＦ信号が検出されない状態が３ｍｓの間継続する（Ｂ）と（最後にＳＯＦ信号が検出されてから３ｍｓが経過すると）、省電力モードへの移行準備（移行準備処理、前処理）を開始するとともに、引き続きＳＯＦ信号の有無を監視する。Ｂから移行待機期間４００が経過する（Ｃ）までにＳＯＦ信号が検出されなければ省電力モードへの移行処理を開始し、Ｂから１０ｍｓ後に移行を完了する（Ｄ）。ＢとＣとの間でＳＯＦ信号が検出されれば、省電力モードへの移行を取り消す。
【００２３】
ここで、移行待機期間４００は１０ｍｓから省電力モードへの移行処理（電力供給の停止等）に必要な時間（（Ｃ）（Ｄ）間）を減じた期間である。
【００２４】
図２は、本実施の形態に係るＵＳＢ端末装置１００の構成を示すブロック図である。ＵＳＢ端末装置１００と主装置２００との間では、ＵＳＢバスライン１０２およびＵＳＢバスライン１０４を介して、ＵＳＢ規格に基づく接続が確立されている。
【００２５】
ＵＳＢ端末装置１００は、ＵＳＢコントローラ１０６、ＣＰＵ１２０、物理層処理部１０８、フラッシュメモリー１１０、ＳＤＲＡＭ１１２を含む。
【００２６】
物理層処理部１０８は例えばＤＳＰ等からなり、ＵＳＢの物理層データの処理を行う。
【００２７】
フラッシュメモリー１１０には、ＵＳＢ端末装置１００において実行されるプログラムが記憶される。また、フラッシュメモリー１１０には、ＵＳＢ端末装置１００が省電力モードへ移行する前に、ＳＤＲＡＭ１１２に記憶されているデータやＣＰＵ１２０内のレジスタのデータのうち、通常モードへの復帰に必要なデータが記憶（バックアップ）される。
【００２８】
ＳＤＲＡＭ１１２には、ＣＰＵ１２０が実行する命令や、ＣＰＵ１２０が動作する際に使用するデータが記憶される。
【００２９】
ＵＳＢコントローラ１０６は例えば半導体回路からなり、ＵＳＢ規格に基づいたＵＳＢ端末装置１００と主装置２００との間の信号のやりとりを制御する。ＵＳＢコントローラ１０６は、ＵＳＢバスライン１０２およびＵＳＢバスライン１０４を介して主装置２００から供給される信号を監視し、ＳＯＦ信号が３ｍｓ検出されない(ｉｄｌｅ状態が検出される)場合、ＵＳＢコントローラ１０６はＣＰＵ１２０に対してその旨を通知する。
【００３０】
ＵＳＢコントローラ１０６は、ｉｄｌｅ状態を検出した後も引き続き、省電力モードへの移行が開始されるまでの間、ＵＳＢバスライン１０２およびＵＳＢバスライン１０４の信号を監視する。そして、ＳＯＦ信号が検出される場合にはＵＳＢコントローラ１０６はＣＰＵ１２０に対してその旨を通知し、検出されない場合にはＵＳＢコントローラ１０６は、省電力モードへの移行が開始される時点で監視を終了する。
【００３１】
ＣＰＵ１２０は、ＵＳＢ端末装置１００の動作を制御する。ＣＰＵ１２０は、ハードウェア制御部１２２、アプリケーション制御部１２４、タイマー１２６、割り込み処理部１２８、電源制御部１３０、移行制御部１４０を含む。
【００３２】
ハードウェア制御部１２２は、ＵＳＢ端末装置１００のハードウェアを制御する。アプリケーション制御部１２４は、ＵＳＢ端末装置１００でのアプリケーションソフトウェアの実行を制御する。
【００３３】
タイマー１２６は、ｉｄｌｅ状態の検出からの経過時間を計測する。すなわち、ＵＳＢコントローラ１０６からｉｄｌｅ状態の検出が通知されると、タイマー１２６は経過時間の計測を開始する。
【００３４】
移行制御部１４０は、ＵＳＢ端末装置１００の省電力モードへの移行動作を制御する。移行制御部１４０は、移行準備開始部１４２および移行開始部１４４を含む。
【００３５】
移行準備開始部１４２は、ＵＳＢ端末装置１００の省電力モードへの移行準備処理を開始する。ＵＳＢコントローラ１０６からｉｄｌｅ状態の検出が通知されると、移行準備開始部１４２は、ハードウェア制御部１２２およびアプリケーション制御部１２４に、移行準備処理の開始命令を出力する。
【００３６】
移行準備処理の開始命令を受け取ると、ハードウェア制御部１２２はハードウェアの動作を一時停止し、アプリケーション制御部１２４はアプリケーションソフトウェアの実行を一時停止する。そして、ＣＰＵ１２０のレジスタのデータや、ＳＤＲＡＭ１１２のデータのうち、通常モードへの復帰に必要なデータがフラッシュメモリー１１０に保存（バックアップ）される。
【００３７】
移行開始部１４４は、ＵＳＢ端末装置１００の省電力モードへの移行処理を開始する。タイマー１２６により計測される経過時間が移行待機期間４００以上になると、移行開始部１４４は電源制御部１３０に、移行処理の開始命令を出力する。
【００３８】
電源制御部１３０は、ＵＳＢ端末装置１００の電源制御を行う。移行開始部１４４から移行処理の開始命令を受け取ると、電源制御部１３０は省電力モードにおいて必要な機能以外への電力供給を停止して、省電力モードへ移行する。
【００３９】
割り込み処理部１２８は、ｉｄｌｅ状態の検出から移行待機期間４００の間にＳＯＦ信号が検出された場合に、ハードウェア制御部１２２及びアプリケーション制御部１２４に対し移行準備処理を取り消す割り込み信号を出力することで、省電力モードへの移行を取り消す。
【００４０】
ハードウェア制御部１２２およびアプリケーション制御部１２４は割り込み信号を受け取ると、移行準備処理の実行を取り消し、一時停止していた動作を再開する。こうしてＵＳＢ端末装置１００は通常モードに復帰する。
【００４１】
次に、ＵＳＢ端末装置１００の省電力モードへの移行に関する動作をフローチャートを用いて説明する。
【００４２】
まず、ｉｄｌｅ状態の検出からタイマー１２６により計測される経過時間が移行待機期間４００以上になるまでの間ＵＳＢコントローラ１０６でＳＯＦ信号が検出されない場合の、ＵＳＢ端末装置１００の動作を説明する。図５は、ｉｄｌｅ状態の検出からタイマー１２６により計測される経過時間が移行待機期間４００以上になるまでの間ＳＯＦ信号が検出されない場合の、ＵＳＢ端末装置１００の動作を示すフローチャートである。
【００４３】
ＵＳＢコントローラ１０６がｉｄｌｅ状態を検出すると（Ｓ５００）、ＵＳＢコントローラ１０６はＣＰＵ１２０にその旨を通知する（Ｓ５０２）。
【００４４】
ＣＰＵ１２０では、タイマー１２６が経過時間の計測を開始し、移行準備開始部１４２は移行準備処理を開始する（Ｓ５０４）。
【００４５】
移行準備処理が終了すると（Ｓ５０６）、ＣＰＵ１２０はタイマー１２６により計測される経過時間が移行待機期間４００以上になるまで待機する（Ｓ５０８）。経過時間が移行待機期間４００以上になると、移行開始部１４４は省電力モードへの移行を開始し、ＵＳＢ端末装置１００は省電力モードへ移行する（Ｓ５１０）。
【００４６】
次に、ｉｄｌｅ状態の検出からタイマー１２６により計測される経過時間が移行待機期間４００以上になるまでの間にＵＳＢコントローラ１０６がＳＯＦ信号を検出する場合の、ＵＳＢ端末装置１００の動作を説明する。図６は、ｉｄｌｅ状態の検出から経過時間が移行待機期間４００以上になるまでの間にＳＯＦ信号が検出される場合の、ＵＳＢ端末装置１００の動作を示すフローチャートである。
【００４７】
ＵＳＢコントローラ１０６は、ｉｄｌｅ状態の検出から経過時間が移行待機期間４００以上になるまでの間にＳＯＦ信号を検出すると（Ｓ６００）、ＣＰＵ１２０にその旨を通知する（Ｓ６０２）。
【００４８】
ＣＰＵ１２０がＳＯＦ信号検出の通知を受け取ると、割り込み処理部１２８はハードウェア制御部１２２およびアプリケーション制御部１２４に対し割り込み信号を出力し、ハードウェア制御部１２２およびアプリケーション制御部１２４は移行準備処理の実行を取り消す（Ｓ６０４）。そして、ハードウェア制御部１２２およびアプリケーション制御部１２４はそれぞれ、一時停止していた動作を再開する（Ｓ６０６）。
【００４９】
以上の構成により、ＥＳＤ等の影響でＳＯＦ信号が３ｍｓ以上検出されない（ｉｄｌｅ検出される）場合でも、ｉｄｌｅ検出から移行待機期間４００の間にＳＯＦ信号が検出されればＵＳＢ端末装置１００は省電力モードに移行しない。すなわち、ＵＳＢ端末装置１００は主装置がＳＯＦ信号（既知信号）を送信している状態での省電力モードへの移行を回避する。
【００５０】
なお、本発明は上記実施の形態に限定されるものではなく、本発明の趣旨を逸脱しない範囲で種々変更可能であることはいうまでもない。
【００５１】
例えば、上記実施の形態では、通常モードにおいてＳＯＦ信号を受信するＵＳＢコントローラ１０６が、ｉｄｌｅ状態の検出後も引き続きＳＯＦ信号の監視を行う構成を示したが、ｉｄｌｅ検出後のＳＯＦ信号の検出を行う検出器を別途設けてもよい。
【００５２】
また、上記実施の形態では、移行待機期間４００は１０ｍｓから省電力モードへの移行処理に要する時間を減じた期間とする構成を示したが、移行待機期間４００は前処理の所要期間としてもよい。この場合、タイマー１２６がバックアップされるデータ量から移行待機期間４００を算出してもよいし、所要時間が最も長い場合の値が予め算出されて、移行待機期間４００として設定される構成としてもよい。この移行待機期間４００は、前処理の所要期間以上、かつ１０ｍｓ（省電力モードへの移行の最長期間）から、省電力モードへの移行に要する時間を減じた期間以下の任意の期間としてよい。
【００５３】
また、上記実施の形態では、ｉｄｌｅ検出からの経過時間を計測するタイマー１２６を含み、タイマー１２６により計測される経過時間に基づいて省電力モードへの移行を開始する構成を示したが、移行待機期間４００の間に省電力モードへの移行を開始する構成であれば他の構成としてもよい。
【００５４】
例えば、ＵＳＢコントローラ１０６によるＳＯＦ信号の監視がある動作（監視動作）の繰り返しである場合、監視動作を１回行う際の所要期間および移行待機期間４００から、監視動作の実行回数を規定し、ＵＳＢコントローラ１０６が監視動作を規定された実行回数行うと省電力モードへの移行を開始する構成としてもよい。
【００５５】
また、例えば、移行開始部１４４が、移行準備処理の完了を認識して、移行処理を開始する構成としてもよい。この場合、移行準備処理を行うハードウェア制御部１２２およびアプリケーション制御部１２４が移行開始部１４４に移行準備処理の完了を通知し、これらの通知に基づいて、移行開始部１４４が移行処理を開始する構成としてもよい。
【００５６】
また、上記実施の形態では、ｉｄｌｅ状態の検出によってハードウェア制御部１２２及びアプリケーション制御部１２４は機能を一時停止し、ｉｄｌｅ状態の検出から移行待機期間４００の間にＳＯＦ信号が検出された場合、割り込み処理部１２８がハードウェア制御部１２２及びアプリケーション制御部１２４に対し移行準備処理の実行を取り消す割り込み信号を出力する構成を示したが、ｉｄｌｅ状態の検出以降もハードウェア制御部１２２及びアプリケーション制御部１２４は移行待機期間４００の経過まで機能を継続する構成とし、ｉｄｌｅ状態の検出から移行待機期間４００の間にＳＯＦ信号が検出された場合、割り込み処理部１２８が、タイマー１２６に対し割り込み制御信号を出力してタイマー１２６による経過時間の計測を停止する構成としてもよい。
【００５７】
また、上記実施の形態ではＵＳＢ端末装置の例を示したが、主装置からの信号に基づいて省電力モードに移行する他の規格に準拠する端末装置にも適用可能で、例えばＰＣＩ  Ｅｘｐｒｅｓｓ規格の端末装置にも適用可能である。
【符号の説明】
【００５８】
１００  ＵＳＢ端末装置、１０２，１０４  ＵＳＢバスライン、１０６  ＵＳＢコントローラ、１０８  物理層処理部、１１０  フラッシュメモリー、１１２  ＳＤＲＡＭ、１２０  ＣＰＵ、１２２  ハードウェア制御部、１２４  アプリケーション制御部、１２６  タイマー、１２８  割り込み処理部、１３０  電源制御部、１４０  移行制御部、１４２  移行準備開始部、１４４  移行開始部、２００  主装置、４００  移行待機期間。
【図１】
2010165130.tif 000003
【図２】
2010165130.tif 000004
【図３】
2010165130.tif 000005
【図４】
2010165130.tif 000006
【図５】
2010165130.tif 000007
【図６】
2010165130.tif 000008